(57)【要約】      （修正有）【課題】通信手段を必須要件としなくても良い強階層受信機における更新ソフトウェアのダウンロード方法を提供する。【解決手段】まず、強階層ＳＤＴＴを受信し、メーカーＩＤ情報、モデルＩＤ情報を取得する。上記ＩＤ情報に基づいて、対象受信機であるか否かの判定を行い、対象受信機でない場合には、本タスクを終了する。対象受信機であれば、ソフトウェアの更新サービスを提供するサービス拠点に関する位置情報を取得し、メモリに格納する。次いで、情報を表示画面に表示させる。表示例としては、「ユーザへソフト更新が必要である旨表示するとともに、最寄りのサービスステーションを表示させるかどうかに関するユーザの操作を促す。ユーザの指示がＹｅｓの場合には、地図アプリケーションを起動させる。次いで、ＧＰＳを起動させ現在位置情報を取得し、最寄りのサービスステーションを検索し、表示画面に表示させる。【選択図】図２
2008278383.tif 000002
【特許請求の範囲】
【請求項１】
強階層ＳＤＴＴ中に設けられ、受信機のメーカー又は放送事業者からのメッセージを、テキスト情報の形態で画面表示させるためのtext_charに、サービスステーションの位置情報を提示するための記載がなされていることを特徴とする強階層受信機。
【請求項２】
前記テキスト情報の記載エリアに、住所記載領域を定義して設けることを特徴とする請求項１に記載の強階層受信機。
【請求項３】
前記テキスト情報とは異なる領域であって、受信機メーカーが自由に利用可能なprivate_data_byteに、サービスステーションの住所データが記載されていることを特徴とする請求項１又は２に記載の強階層受信機。
【請求項４】
請求項１から３までのいずれか１項に記載の強階層受信機であって、
強階層ＳＤＴＴを放送する放送局から放送されるデジタル放送波の強階層を受信する受信部と、
前記強階層ＳＤＴＴを受信した際に取得可能な、受信機メーカーＩＤ情報と受信機モデルＩＤ情報とに基づいて、ソフトウェア更新対象受信機であるか否かの判定を行う対象受信機判定部と、
自機器の位置を検出する位置検出部と、
地図情報を保持する地図情報保持部と、
前記強階層ＳＤＴＴを受信した際に取得された前記テキスト情報であって、ソフトウェアの更新サービスを提供するサービスステーションに関する位置情報を含むテキスト情報と、前記位置検出部により検出された現在位置と、前記地図情報とに基づいて、ソフトウェアの更新サービスを提供可能なサービスステーションにアクセスするための情報が提示されることを特徴とする強階層受信機。
【請求項５】
強階層ＳＤＴＴを放送する放送局から放送されるデジタル放送波の強階層を受信する受信部と、
前記強階層ＳＤＴＴを受信した際に取得可能な、受信機メーカーＩＤ情報と受信機モデルＩＤ情報とに基づいて、ソフトウェア更新対象受信機であるか否かの判定を行う対象受信機判定部と、
自機器の位置を検出する位置検出部と、
地図情報を取得可能な地図情報取得部と、
前記強階層ＳＤＴＴを受信した際に取得された前記テキスト情報であって、ソフトウェアの更新サービスを提供するサービスステーションに関する位置情報を含むテキスト情報と、前記位置検出部により検出された現在位置と、前記地図情報とに基づいて、ソフトウェアの更新サービスを提供可能なサービスステーションにアクセスするための情報が提示されることを特徴とする強階層受信機。
【請求項６】
強階層ＳＤＴＴを放送する放送局から放送されるデジタル放送波の強階層を受信する強階層受信機におけるソフトウェアの更新サービス提供方法であって、
強階層ＳＤＴＴ受信し、受信機のメーカーＩＤ情報及びモデルＩＤ情報と、ソフトウェアの更新サービスを提供するサービスステーションの位置情報と、を取得するステップと、
前記メーカーＩＤ情報とモデルＩＤ情報とに基づいて、対象受信機であるか否かの判定を行い、対象受信機であれば、ソフトウェアの更新サービスを提供する前記強階層ＳＤＴＴを受信した際に取得された前記テキスト情報であって、ソフトウェアの更新サービスを提供するサービスステーションに関する位置情報を含むテキスト情報を取得し、記憶するステップと、
ユーザの前記サービスステーションへのアクセス情報の要求に応じて、自己の現在位置情報を取得し、該現在位置情報と前記サービスステーションに関する位置情報とに基づいて最寄りのサービスステーションを検索し、最寄のサービスステーションへのアクセス情報を提示するステップと
を有することを特徴とするソフトウェアの更新サービス提供方法。
【請求項７】
さらに、前記最寄のサービスステーションへ案内するステップを有することを特徴とする請求項６に記載のソフトウェアの更新サービス提供方法。
【請求項８】
さらに、前記最寄のサービスステーションにある程度まで近づいた場合にその旨を報知するステップを有することを特徴とする請求項７に記載のソフトウェアの更新サービス提供方法。
【請求項９】
前記案内するステップは、前記サービスステーションを継続的に検索するステップを有することを特徴とする請求項７又は８に記載のソフトウェアの更新サービス提供方法。
【請求項１０】
前記受信機のメーカーＩＤ情報及びモデルＩＤ情報と、ソフトウェアの更新サービスを提供するサービスステーションの位置情報と、を取得するステップと、前記メーカーＩＤ情報とモデルＩＤ情報とに基づいて、対象受信機であるか否かの判定を行い、対象受信機であれば、ソフトウェアの更新サービスを提供するサービスステーションに関する位置情報を含むテキスト情報であって、強階層ＳＤＴＴ中に設けられ、受信機のメーカー又は放送事業者からのメッセージを、テキスト情報の形態で画面表示させるためのtext_charに、サービスステーションの位置情報を提示するための記載がなされているテキスト情報を取得し、記憶するステップと、が、
前記強階層ＳＤＴＴの受信を共通トリガーとして行なわれることを特徴とする請求項６から９までのいずれか１項に記載のソフトウェアの更新サービス提供方法。
【請求項１１】
前記最寄のサービスステーションへのアクセス情報が提示されると、サービスステーションに関する電子メールの返信又は転送によって、前記最寄のサービスステーションに更新に関する予約を行なうステップを有することを特徴とする請求項６から１０までのいずれか１項に記載のソフトウェアの更新サービス提供方法。
【発明の詳細な説明】
【技術分野】
【０００１】
本発明は、強階層受信機、例えば、ディジタル放送波の強階層又は強階層と中階層を受信するディジタル放送受信装置におけるソフトウェアの更新技術に関するものである。
【背景技術】
【０００２】
放送波によるダウンロードに関連して、通信機能を用いて強階層受信機がソフトウェア更新を行う技術であって、販売店などに設置されたダウンロード装置によらずに更新ソフトウェアのダウンロードが行えるようにする技術がある（特許文献１参照）。
【０００３】
【特許文献１】特開２００４−１８７１７８号公報
【発明の開示】
【発明が解決しようとする課題】
【０００４】
しかしながら、上記特許文献１に記載の技術は、通信機能を用いて強階層受信機がソフトウェア更新を行う手段を提案するものであり、通信手段を必須要件とする点で汎用性に乏しく、利用範囲が限定されてしまうという問題がある。
【０００５】
また、利用者がソフトウェア更新を行うには、販売店の場所情報を別途利用者自身が探す必要があり、利便性に欠けていた。
【０００６】
本発明は、通信手段を必須要件としなくても良い強階層受信機における更新ソフトウェアのダウンロード方法を提供することを目的とする。
【課題を解決するための手段】
【０００７】
ＳＤＴＴ(Software Download Trigger Table)とは、ソフトウェアダウンロードの告知情報（スケジュール情報など）を送出するテーブルを指す。この強階層ＳＤＴＴ中のtext_charというエリアにテキスト情報が格納されている。このエリアは、受信機ユーザーに対するメーカーや放送事業者からのメッセージとして画面表示することにより文字情報として伝達を行うお知らせのために設けられている。
【０００８】
本発明では、このお知らせの中に、ユーザーが読み、更に受信機にとってもサービスステーションの位置情報を得ることが出来る内容を記載しておくことを特徴とする。
【０００９】
より具体的には、テキストエリアに一定のフォーマットを設け、例えば、以下のような記載をしておく。
【００１０】
「この受信機はソフトウェアの更新が必要です。
更新を行うにはお手数ですが以下のサービスステーションへ受信機をお持ち下さい。
★東京都港区＊＊＊１−９−２  03-0000-0000
★横浜市緑区＊＊＊５−１０    045-000-0000
★＊＊＊＊＊＊＊＊
現在の場所から最寄のサービスステーションの場所を地図で表示しますか？」
【００１１】
このように、行頭から全角１文字スペース＋★マークに続く部分を、住所記載領域と定義し、ユーザーにとっても文章として読め、かつ、受信機側としても住所データとして認識できる仕組みとする。
【００１２】
テキスト情報と並んで、受信機メーカーが自由に利用可能なprivate_data_byteという部分が存在する。このエリアには、テキストエリアのような利用目的が定まっていないため、全てをユーザーに読ませる必要もなく、サービスステーションの住所データのみ記載することも可能である。
【００１３】
本発明の一観点によれば、強階層ＳＤＴＴ中に設けられ、受信機のメーカー又は放送事業者からのメッセージを、テキスト情報の形態で画面表示させるためのtext_charに、サービスステーションの位置情報を提示するための記載がなされていることを特徴とする強階層受信機が提供される。前記テキスト情報の記載エリアに、住所記載領域を定義して設けることが好ましい。これにより、ユーザーにとっても文章として読めて、かつ受信機側としても住所データとして認識できる仕組みを形成する。
【００１４】
前記テキスト情報とは異なる領域であって、受信機メーカーが自由に利用可能なprivate_data_byteに、サービスステーションの住所データが記載されていても良い。これにより、テキストエリアのような利用目的が定まっていないため、全てをユーザーに読ませる必要もなく、サービスステーションの住所データのみ記載する事も可能となる。
【発明の効果】
【００１５】
本発明によれば、強階層受信機のソフトウェア更新の知らせを受けた場合に、更新可能なサービス拠点へのアクセス方法も提供されるため、ソフトウェアの更新が利用しやすいものとなるという利点がある。
【発明を実施するための最良の形態】
【００１６】
以下に、本発明の一実施の形態による強階層受信機のソフトウェアの更新技術について、図面を参照しながら説明を行なう。図１は、本実施の形態による強階層受信機のソフトウェアの更新システムの一構成例を示す図である。図１に示すように、本実施の形態によるシステムは、位置検出機能、例えばＧＰＳ機能（位置検出部）付きの強階層受信機１（強階層受信部とアンテナ３を備える）と、強階層ＳＤＴＴを放送する放送局１１と、ＧＰＳ衛星１５と、サービス拠点２１と、を有している。強階層受信機１は、地図情報（ＧＩＳ）も保持又は外部から取得可能に構成されている（地図情報取得部）。ＳＤＴＴは、強階層受信機１のメーカーＩＤと、モデルＩＤと、受信機特定情報と、テキスト情報と、を含む。さらに、図示しないが、例えばＣＰＵとＲＯＭ内のプログラムとの協働により、強階層ＳＤＴＴを受信した際に取得した、メーカーＩＤ情報、モデルＩＤ情報に基づいて、対象受信機であるか否かの判定を行う対象受信機判定部を有する。
【００１７】
上記システムは、ＧＰＳによる現在位置情報と、ソフトウェア更新サービス拠点の位置情報とに基づいて、現在位置から最も近いソフトウェア更新設備のあるお店やサービス拠点を検索し、地図上で最も近いソフトウェア更新拠点をユーザに提示する（例えば表示部５への表示）。
【００１８】
この地図表示７のナビゲーションにより、利用者はソフトウェア更新設備のあるお店やサービス拠点２１へ移動するように案内されることができる。この際、強階層受信機１に対して電子メールが送信されることにより、ユーザに対してサービス拠点を提示することができ、すなわち、強階層ＳＤＴＴの受信を共通トリガーとし、以下２通りの方法でサービス拠点を提示する。１）ＧＰＳ機能で自己位置を確認し、近くの更新設備（サービス拠点・販売店など）を画面（地図上などに）表示する。２）通信親局との位置関係（３点測距等で求める）から自己位置を確認し、近くの更新設備（サービス拠点・販売店など）を画面（地図上などに）表示する。
【００１９】
その際、ユーザは、電子メールの返信又は転送によって、サービス拠点に更新に関する予約を行なうことができる。
【００２０】
図２から図５までは、上記１），２）を含む種々の処理の流れを示すフローチャート図である。図２に示すように、まず、ステップＳ１において強階層ＳＤＴＴを受信し、ステップＳ２においてメーカーＩＤ情報、モデルＩＤ情報を取得する。
【００２１】
ステップＳ３において、上記メーカーＩＤ情報、モデルＩＤ情報に基づいて、対象受信機であるか否かの判定を行い、対象受信機でない場合には（Ｎ）、本タスクを終了する（ステップＳ１３）。対象受信機であれば（Ｙ）、ステップＳ４において、ソフトウェアの更新サービスを提供するサービスステーションに関する位置情報を含むテキスト情報を取得し、不揮発性メモリ（Ｆｌａｓｈ）などへテキスト情報を格納する。
【００２２】
次いで、ステップＳ５において、テキスト情報を表示画面に表示させる。表示例としては、「ユーザへソフト更新が必要である旨表示するとともに、最寄りのサービスステーションを表示させるかどうかに関するユーザの操作を促す。具体的には、ユーザに対して、Ｙｅｓ又はＮｏを入力させる（ステップＳ６における、ユーザからの指示待ち）。ステップＳ７において、ユーザの指示が行なわれると、Ｎｏの場合には、処理を終了する（ステップＳ１４）。Ｙｅｓの場合には、ステップＳ９に進み、地図アプリケーションを起動させる。次いで、ステップＳ１０においてＧＰＳを起動させ、強階層受信機１の現在位置情報を取得する。ステップＳ１１において、強階層受信機１の最寄りのサービスステーションを検索する。ステップＳ１２において、最寄のサービスステーション地図情報を強階層受信機１の表示画面に表示させる。或いは、ＧＰＳによる案内を開始するようにしても良い。
【００２３】
図３は、図２の変形例による処理の流れを示すフローチャート図である。ステップＳ２１からＳ３１までは、図２のステップＳ１からステップＳ１１までと同様である。次いで、ステップＳ３２において、最寄りのサービスステーションが現在位置から徒歩圏にあるかどうかを判定する。徒歩圏にある場合には（Ｙ）、ステップＳ３３に進み最寄のサービスステーション地図情報を携帯画面へ表示し、もしくは、ＧＰＳによる案内を開始する。徒歩圏にない場合には（Ｎ）、ステップＳ３４に進み、近くにサービスステーションが無い旨を表示画面に表示させる。次いで、ステップＳ３５において、ユーザ（受信機１）がサービスステーションに近づいたらお知らせするかどうかをユーザに尋ねる。具体的には、Ｙ又はＮの入力を促す表示を行なう。ステップＳ３６において地図アプリケーションを終了し、ステップＳ３７においてＧＰＳ測定を終了する。ステップＳ３８において、ユーザからの指示を待ち、ステップＳ３９においてユーザからの指示があった場合には、ステップＳ４０において、ユーザ判断がサービスステーションへの案内を希望しない判断であった場合には（Ｎ）、ステップＳ４６において処理を終了する。ステップＳ４０において、ユーザ判断がサービスステーションへの案内を希望する判断であった場合には（Ｙ）、ステップＳ４３において、定期的に徒歩圏のサービスステーションを検索し、ステップＳ４４において、現在位置から徒歩圏（例えば１０分以内などが設定可能）にサービスステーションがあるか否かを判定し、ステップＳ４４において、徒歩圏にある場合には（Ｙ）、ステップＳ３３に進み、最寄りのサービスステーション地図情報を携帯画面へ表示する。もしくは、ＧＰＳによる案内を開始する。尚、徒歩圏であるかどうかを判断するステップにおいて、徒歩での所要時間又は交通手段を利用した場合の所要時間とアクセス方法を表示画面に表示するようにしても良い。すなわち、サービスステーションまである程度近づいた場合に、その旨をユーザに報知する。この際、サービスステーションの検索は継続的に行うのが好ましい。
【００２４】
上記の処理を利用すると、ダウンロードサービスを受ける際のサービスステーションへのアクセスに関する情報もユーザに提示されるので、ユーザにとっての利便性が向上するという利点がある。
【００２５】
図４は、図２及び図３に示す処理の変形例を示すフローチャート図である。基本的には図３に示す処理と同様であるが、ステップＳ７５において、サービスステーションが徒歩圏にあるか否かを判定し、徒歩圏にあると判定された場合に（Ｙ）、ステップＳ７６において、ブザー音などを鳴らして、実際に徒歩でサービスステーションに向けて歩いていった場合に、サービスステーションにある程度近づいたらその旨を知らせるための例えばブザー音を鳴らしてユーザに対して報知する。ユーザはブザー音を聞いたら例えばポケットに入れておいた受信機を取り出し、ステップＳ６３において、最寄りのサービスステーション地図情報を携帯画面へ表示し、もしくは、ＧＰＳによる案内を開始する。
【００２６】
上記の処理を利用すると、ユーザは、地図表示を常時見ながら歩かなくても、サービスステーションに到達することが容易になるという利点がある。
【００２７】
図５は、図２から図４までに示す処理の変形例を示すフローチャート図である。ステップＳ８１からステップＳ８４までは、図２〜図４までの処理と同じである。但し、ステップＳ８５においては、ユーザに対してソフトウェアの更新が必要である旨を表示するとともに、自宅近くのサービスステーションを表示させるか否かを尋ね、Ｙｅｓ又はＮｏで応答できるようなユーザインターフェイスを提供する。そして、ユーザから、自宅近くのサービスステーションを表示させる旨の応答があった場合には、ステップＳ９０において、自宅の最寄りのサービスステーションを検索し、ステップＳ９１において希望地域（自宅の近く）にサービスステーションがあるか否かを判定し、Ｙｅｓの場合にはステップＳ９２において、最寄りのサービスステーションの地図情報を画面表示させる。Ｎｏの場合には、ステップＳ９３に進み、近くにサービスステーションが無い旨を画面表示し、ＧＰＳによる最寄り検索を希望するか否かを尋ね、Ｙｅｓ又はＮｏでユーザが応えることができるように、例えばユーザインターフェイスを提供する。ここで、地図のアプリケーションを終了し（ステップＳ９５）、ステップＳ９４に関するユーザからの指示を待つ（ステップＳ９６）。
【００２８】
ステップＳ９７においてユーザが指示を行い、ステップＳ９８においてユーザの判断が最寄り検索不要（Ｎ）であれば、処理を終了する（ステップＳ１０４）。最寄り検索が必要であれば（Ｙ）、ステップＳ９９において、再び地図アプリケーションを起動し、ステップＳ１００において、ＧＰＳを起動させ、現在位置情報を取得する。次いで、ステップＳ１０１において、定期的に徒歩圏のサービスステーションを検索し、ステップＳ１０２において、徒歩圏にサービスステーションがあるか否かを判定し、Ｙｅｓの場合には、ステップＳ９２において、最寄りのサービスステーション地図情報を携帯画面へ表示させる。
【００２９】
この処理の特徴は、自宅近くにサービスステーションがない場合であって、ユーザがＧＰＳによる最寄り検索を希望する場合には、ＧＰＳを起動させて例えば徒歩圏のサービスステーションを定期的に検索し、徒歩圏にある場合には、そのサービスステーションへのアクセスに役立つ地図を画面表示させることである。これにより、ユーザは、自宅近く又は外出先のいずれかにおいてダウンロードサービスを受けることができる。
【００３０】
以上に説明したように、本実施の形態による強階層受信機のソフトウェアの更新技術によれば、ソフトウェア更新が伴わない強階層受信機のダウンロードにおいて、強階層ＳＤＴＴを受信した際に、利用者に対し最も近くの更新設備（販売店など）がどこにあるかを示すことにより、現受信機の仕様変更なしに、簡単にソフトウェアの更新を行なう方法を受け取ることができる。すなわち、更新可能なサービス拠点へのアクセス方法も提供されるため、ソフトウェアの更新が利用しやすいものとなるという利点がある。
【産業上の利用可能性】
【００３１】
本発明は、強階層受信機のソフトウェア更新技術として利用可能である。
【図面の簡単な説明】
【００３２】
【図１】本発明の一実施の形態による強階層受信機のソフトウェアの更新システムの一構成例を示す図である。
【図２】図１に示すシステムにおけるソフトウェア更新のためのダウンロードを行なうサービス拠点へのアクセス方法を提示するための第１の処理の流れを示すフローチャート図である。
【図３】図１に示すシステムにおけるソフトウェア更新のためのダウンロードを行なうサービス拠点へのアクセス方法を提示するための第２の処理の流れを示すフローチャート図である。
【図４】図１に示すシステムにおけるソフトウェア更新のためのダウンロードを行なうサービス拠点へのアクセス方法を提示するための第３の処理の流れを示すフローチャート図である。
【図５】図１に示すシステムにおけるソフトウェア更新のためのダウンロードを行なうサービス拠点へのアクセス方法を提示するための第４の処理の流れを示すフローチャート図である。
【符号の説明】
【００３３】
１…強階層受信機、３…アンテナ、１１…強階層ＳＤＴＴを放送する放送局、１５…ＧＰＳ衛星、２１…サービス拠点。
【図１】
2008278383.tif 000003
【図２】
2008278383.tif 000004
【図３】
2008278383.tif 000005
【図４】
2008278383.tif 000006
【図５】
2008278383.tif 000007